(57)【要約】      （修正有）【課題】圧縮ガスを使用してカートリッジ内のＢＢ弾又は樹脂製弾丸を発射するようにした薬莢式エアーガンにおいて、ブローバックを行い、カートリッジを自動的に排出させることを可能とするエキストラクタの係止構造を備えた薬莢式エアーガンを提供する。【解決手段】カートリッジ４の後端に形成されたリム２７を係止するエキストラクタ４９がシリンダ３３の側部に回動自在に枢設されると共に、該エキストラクタ４９とシリンダ３３との間に設けられたバネ４９ｂの付勢力によってエキストラクタ４９の先端に形成された爪部４９ａをカートリッジ４のリム２７に係止し、該カートリッジ４をチャンバ３４内に保持した状態でスライド４３が後退すると共に、ガス蓄圧室からの圧縮ガスの供給が停止することに伴いシリンダ３３が後退するに従って、エジェクタに接触したカートリッジ４がエキストラクタ４９の係止から解除され、チャンバ３４から排出されるようにした。【選択図】図１２
2011085300.tif 000002
【特許請求の範囲】
【請求項１】
銃本体とは別体に設けられたマガジンの内部に複数のカートリッジを寝かせた状態で縦方向に充填する弾倉とガス蓄圧室とを設け、該マガジンを銃本体のグリップ内に設けたマガジン室に着脱自在に挿着し、
銃本体の銃身に設けられたインナーバレルの後端と、該インナーバレルの外周にて前後動するスライドの内部にて前後動可能に設けられたシリンダの前端との間にチャンバが設けられ、
マガジンの弾倉の最上段のカートリッジを弾倉内に設けられたフォロアスプリングのバネ力によって付勢することによりチャンバに装填可能とし、
カートリッジはその内部に設けられた貫通孔に弾丸を保持すると共に背後から送給される圧縮ガスによって前方へ発射可能に構成され、
ガス蓄圧室から供給される圧縮ガスによってカートリッジ内に充填されている弾丸を発射した後、シリンダ内に充満した圧縮ガスによってスライドが自動的に後退した際に空のカートリッジを自動的に排出する薬莢式エアーガンにおいて、
チャンバに装填されたカートリッジの後端に形成されているリムを係止するエキストラクタがシリンダの側部に回動自在に枢設されると共に、該エキストラクタとシリンダとの間に設けられたバネの付勢力によってエキストラクタの先端に形成された爪部をカートリッジのリムに係止することができ、
該カートリッジをチャンバ内に保持した状態でスライドが後退すると共に、ガス蓄圧室からの圧縮ガスの供給が停止することに伴いシリンダが後退するに従ってエジェクタに接触したカートリッジがチャンバから排出されるようにしたことを特徴とする薬莢式エアーガン。
【請求項２】
シリンダの後端とピストンの前端外周に設けられたゴムパッキンとの隙間を少なくとも１ｍｍ設けることによって、該隙間からシリンダ内に充満したガスを一挙に放出することによりスライドのブローバックを迅速に行うようにしたことを特徴とする請求項１記載の薬莢式エアーガン。
【請求項３】
マガジンの弾倉の上端開口の後部両側に該弾倉の最上段に位置するカートリッジの後部を係止するマガジンリップが設けられると共に、マガジン本体の前側壁の上端に切欠部が形成され、
該切欠部が弾倉の最上段のカートリッジを直進方向に移動可能とする深さを有すると共に、弾倉の最上段のカートリッジが直進方向に移動して該カートリッジの前端がマガジンの前方位置に設けられたフィーディングランプの案内傾斜面に当接した位置で該カートリッジに対する係止作用が解除されるようにマガジンリップの長さを形成したことを特徴とする請求項１又は２記載の薬莢式エアーガン。
【発明の詳細な説明】
【技術分野】
【０００１】
本発明は、圧縮ガスによってカートリッジ内の弾丸を発射した後、スライドが自動的に前後動し、空のカートリッジを自動的に排出する薬莢式エアーガンに関する。
【背景技術】
【０００２】
従来から、プラスチック製弾丸（いわゆる「ＢＢ弾」）又は樹脂製弾丸を圧縮ガスによって発射するようにしたエアーガンが周知である。また、カートリッジに充填された弾丸を発射した後に、スライドが自動的に前後動（所謂、ブローバック）して、空のカートリッジを排出することができる排莢式エアーガンも開発されている。
【０００３】
ところが、従来、複数のカートリッジを充填する弾倉とガス蓄圧室とをマガジン内に一体的に構成し、このマガジンを銃本体のマガジン室に着脱自在に挿着し、弾丸を発射した後、上記のブローバックとカートリッジの排出を行うようにしたエアーガンは未開発であった。
【０００４】
そこで、本発明者等による鋭意努力の結果、上記の構成を満足する特許文献１に示すエアーガンを開発するに到った。
【０００５】
ところで、オートマチック式の実銃においては、弾丸を装着したカートリッジを弾倉に装填し、スライドが一旦後退するか、またはスライドを強制的に引くことによって圧縮したスプリングの弾発力でカートリッジを前進させることにより、カートリッジをチャンバに送り込むようにしている。
【０００６】
このとき、スライドに係止したエキストラクタの爪がカートリッジのリムを係止することによって、カートリッジをチャンバ内に保持する。次いで、弾丸を発射した直後にスライドが後退するブローバック動作時に、カートリッジを同時に後退させ、後退しきったときにエジェクタに接触したカートリッジがエジェクタの跳ね上げ作用によって排出する。
【０００７】
ところが、圧縮ガスを使用してカートリッジ内のＢＢ弾又は樹脂製弾丸を発射する玩具銃の場合、実銃と同様の仕組みでカートリッジを排出させることは不可能であった。その理由は、実銃のようにエキストラクタをスライドに係止した構造にすると、シリンダにガスが送り込まれても、スライド後部に取付けられているピストンは後退することができないためである。その結果、スライドはブローバック動作をせず、カートリッジを排出させることも不可能となる。
【０００８】
従って、特許文献１の薬莢式エアーガンのように、圧縮ガスを使用してカートリッジ内の弾丸を発射するようにした玩具銃の場合、ブローバック動作を行い、カートリッジを自動的に排出させるには、エキストラクタをスライドに係止する構造ではなく、他の可動し得る部分にエキストラクタを取付ける構造とすることによって、スライドのブローバック動作を可能とする構造にする必要がある。
【先行技術文献】
【特許文献】
【０００９】
【特許文献１】特開２００９−１４５００３号公報
【発明の開示】
【発明が解決しようとする課題】
【００１０】
本発明は、上記の事情に鑑みてなされたものであり、圧縮ガスを使用してカートリッジ内のＢＢ弾又は樹脂製弾丸を発射するようにした薬莢式エアーガンにおいて、弾丸を発射した後、ブローバック動作を行い、カートリッジを自動的に排出させることを可能とするエキストラクタの係止構造を備えた薬莢式エアーガンを提供することを目的とする。
【００１１】
また、本発明は、上記の薬莢式エアーガンにおいて、ブローバック動作をより迅速に行うことを可能とした薬莢式エアーガンを提供することを目的とする。
【００１２】
さらに、本発明は、上記の薬莢式エアーガンにおいて、マガジンの弾倉からチャンバにカートリッジを装填させる動作を円滑且つ確実に行うようにした薬莢式エアーガンを提供することを目的とする。
【課題を解決するための手段】
【００１３】
上記の問題を解決するために、本発明における請求項１の薬莢式エアーガンは、銃本体とは別体に設けられたマガジンの内部に複数のカートリッジを寝かせた状態で縦方向に充填する弾倉とガス蓄圧室とを設け、該マガジンを銃本体のグリップ内に設けたマガジン室に着脱自在に挿着し、銃本体の銃身に設けられたインナーバレルの後端と、該インナーバレルの外周にて前後動するスライドの内部にて前後動可能に設けられたシリンダの前端との間にチャンバが設けられ、マガジンの弾倉の最上段のカートリッジを弾倉内に設けられたフォロアスプリングのバネ力によって付勢することによりチャンバに装填可能とし、カートリッジはその内部に設けられた貫通孔に弾丸を保持すると共に背後から送給される圧縮ガスによって前方へ発射可能に構成され、ガス蓄圧室から供給される圧縮ガスによってカートリッジ内に充填されている弾丸を発射した後、シリンダ内に充満した圧縮ガスによってスライドが自動的に後退した際に空のカートリッジを自動的に排出する薬莢式エアーガンにおいて、チャンバに装填されたカートリッジの後端に形成されているリムを係止するエキストラクタがシリンダの側部に回動自在に枢設されると共に、該エキストラクタとシリンダとの間に設けられたバネの付勢力によってエキストラクタの先端に形成された爪部をカートリッジのリムに係止することができ、該カートリッジをチャンバ内に保持した状態でスライドが後退すると共に、ガス蓄圧室からの圧縮ガスの供給が停止することに伴いシリンダが後退するに従ってエジェクタに接触したカートリッジがチャンバから排出されるようにしたことを特徴とする。
【００１４】
また、本発明における請求項２の薬莢式エアーガンは、シリンダの後端とピストンの前端外周に設けられたゴムパッキンとの隙間を少なくとも１ｍｍ設けることによって、該隙間からシリンダ内に充満したガスを一挙に放出することによりスライドのブローバックを迅速に行うようにしたことを特徴とする。
【００１５】
さらに、本発明における請求項３の薬莢式エアーガンは、請求項１又は２において、マガジンの弾倉の上端開口の後部両側に該弾倉の最上段に位置するカートリッジの後部を係止するマガジンリップが設けられると共に、マガジン本体の前側壁の上端に切欠部が形成され、該切欠部が弾倉の最上段のカートリッジを直進方向に移動可能とする深さを有すると共に、弾倉の最上段のカートリッジが直進方向に移動して該カートリッジの前端がマガジンの前方位置に設けられたフィーディングランプの案内傾斜面に当接した位置で該カートリッジに対する係止作用が解除されるようにマガジンリップの長さを形成したことを特徴とする。
【発明の効果】
【００１６】
本発明の請求項１の構成によれば、銃本体とは別体に設けられたマガジンにカートリッジを補給することが可能であり、このマガジンを銃本体のグリップ内に設けたマガジン室に着脱自在に挿着すると共に、カートリッジを銃本体のチャンバに装填して、カートリッジ内の弾丸を発射することができる。また、弾丸の発射後にスライドをブローバック動作させ、空になったカートリッジをチャンバから排出することも可能である。
【００１７】
さらに、本発明においては、スライドにブローバック動作を行うことを可能とするため、チャンバに装填されたカートリッジの後端に形成されているリムを係止するエキストラクタがシリンダの側部に回動自在に枢設された構成とされている。また、このエキストラクタは、該エキストラクタとシリンダとの間に設けられたバネの付勢力によってエキストラクタの先端に形成された爪部をカートリッジのリムに確実に係止することができる構成とされている。
【００１８】
このような構成によって、スライドに対して可動し得るシリンダにエキストラクタが係止されたことにより、ブローバック動作において、チャンバに装填されたカートリッジはシリンダに係止されたエキストラクタに噛み込まれた状態でチャンバ内に保持される。また、スライドに取付けられたピストンは可動することが可能であるため、スライドのブローバック動作も可能となる。
【００１９】
また、上記のブローバック動作において、ガス蓄圧室からの圧縮ガスの供給が停止することに伴い、シリンダが後退するに従ってエジェクタに接触したカートリッジがエキストラクタの係止から解除され、チャンバから排出可能となる。
【００２０】
また、上記のブローバック動作において、従来はシリンダの後端とピストンの前端外周に設けられたゴムパッキンとの間に０．５ｍｍ程度の隙間を設けることによって、該隙間からシリンダ内に充満した圧縮ガスを放出するようにしていたのであるが、この程度の隙間ではスライドのブローバック動作を迅速に行うことができない。本発明における請求項２の薬莢式エアーガンは、シリンダの後端とピストンの前端外周に設けられたゴムパッキンとの隙間を少なくとも１ｍｍ設けることによって、該隙間からシリンダ内に充満したガスを一挙に放出し、これによってシリンダの後退時期を速めることにより、ブローバック動作を迅速に行うことが可能となる。
【００２１】
さらに、本発明における請求項３の薬莢式エアーガンは、マガジン本体の前側壁の上端に設けられた切欠部が弾倉の最上段のカートリッジを直進方向に移動可能とする深さを有することにより、弾倉の最上段のカートリッジが直進方向に移動して該カートリッジの前端がマガジンの前方位置に設けられたフィーディングランプの案内傾斜面に当接させることが可能となる。また、このようにカートリッジの前端がフィーディングランプの案内傾斜面に当接すると同時に該カートリッジに対するマガジンリップの係止作用を解除し得るように、該マガジンリップの長さが形成されている。このため、カートリッジがマガジンリップから傾斜した状態で離脱するのではなく、カートリッジを略平行の状態でチャンバの天井に衝突させることができ、チャンバへの安定した装填が可能となる。
【図面の簡単な説明】
【００２２】
【図１】本発明に係るエアーガンの全体構造を示す断面図であり、グリップ内に設けたマガジン室にマガジンを挿着している状況を示す。
【図２】（ａ）は本発明に係るマガジンの断面図であり、(ｂ)はマガジンの弾倉の最上段のカートリッジを係止するマガジンリップを前方から見た部分拡大図であり、（ｃ）はカートリッジの拡大断面図である。
【図３】本発明に係るエアーガンのグリップ内に設けたマガジン室にマガジンを挿着した状況を示す。
【図４】本発明に係るエアーガンのスライドを後退させている状況を示す断面図である。
【図５】本発明に係るエアーガンのスライドが前方へ復帰している状況を示す断面図である。
【図６】本発明に係るエアーガンにおいて弾倉内のカートリッジが銃本体のチャンバに装填された状況を示す断面図である。
【図７】本発明によるエアーガンにおいてトリガを引いて薬莢内の弾丸を発射している状況を示す断面図である。
【図８】本発明によるエアーガンにおいて弾丸の発射後にスライドが後退している状況を示す断面図である。
【図９】本発明に係るエアーガンにおいてシリンダ内への圧縮ガスの供給が停止すると共に、シリンダ内の圧縮ガスが放出されている状況を示す断面図である。
【図１０】本発明に係るエアーガンにおいてシリンダ内の圧縮ガスが放出した後にノズルスポイラがリターンスプリングによって後方へ引張られている状況を示す断面図である。
【図１１】本発明に係るエアーガンにおいて弾丸の発射後にスライドが後退して空のカートリッジを排出している状況を示す断面図である。
【図１２】本発明に係るエキストラクタをシリンダに取り付けた状況を示す図であり、（ａ）はシリンダの包底面を示す端面図であり、(ｂ)はシリンダの断面図である。
【図１３】本発明に係るシリンダの後端とピストンの前端外周に設けられたゴムパッキンとの隙間を示す断面図である。
【図１４】（ａ）〜(ｃ)は、本発明に係るマガジンの弾倉の最上段のカートリッジをチャンバに装填する動作を示す部分拡大断面図である。
【発明を実施するための形態】
【実施例】
【００２３】
以下、本発明の実施例について図面を参照しながら説明する。なお、本発明の説明において、「前方」の語は銃本体の銃口側を云い、「後方」の語は銃本体のハンマ側を云うこととする。
【００２４】
まず、本発明に係るエアーガンの全体構成について説明する。図１に示すエアーガンは、銃本体１のグリップ２内に設けられたマガジン室３の下方開口部から銃本体１とは別体のマガジン５を着脱自在に挿着可能としたものである。
【００２５】
マガジン５は、図２(ａ)に示すように、マガジン本体６に弾倉７とガス蓄圧室９とが一体的に構成されてなるものである。即ち、マガジン本体６の内部の前後に領域を分割して弾倉７とガス蓄圧室９とが中央境壁８ｂで仕切られた構成とされている。ただし、弾倉７の下部にはガス蓄圧室９が下方に回り込んで形成され、ガス蓄圧室９の下方開放側はマガジンベース１０によって閉塞され、マガジンベース１０に設けられたガス注入口１１から圧縮ガスをガス蓄圧室９内に注入することができる。
【００２６】
マガジン５の弾倉７は、マガジン本体６の勾配をなす前側壁８ａに沿って縦方向に設けられている。この弾倉７の内部にはフォロアスプリング２２で支持されたフォロア２３が上方へ付勢され、複数のカートリッジ４を寝かした状態でフォロア２３の上部に順次装填することが可能とされている。
【００２７】
カートリッジ４は、図２（ｃ）に示すように、筒形状のカートリッジ本体４ａの前後を貫く貫通孔２６と、カートリッジ本体４ａの後端周部に突出したリム２７とを有し、貫通孔２６内に固定されたゴム製環状リング２８の先端近傍に例えば球形のプラスチック製弾丸（所謂「ＢＢ弾」）Ｂを係止する環状凹部２９が形成されている。従って、弾丸Ｂを貫通孔２６の先端側から環状リング２８の弾性に抗して押し入れることにより、環状凹部２９に弾丸Ｂを保持した状態にすることできる。
【００２８】
また、マガジン５の弾倉７の上部の構成は、図２（ａ）、（ｂ）に示すように、弾倉７の上端開口の後部両側にマガジンリップ２４、２４が形成され、これらマガジンリップ２４、２４によって弾倉７の最上段に位置するカートリッジ４の後部が係止される。さらに、マガジン本体６の前側壁８ａの上端に切欠部２５が形成されている。
【００２９】
ここで、マガジン５の弾倉７の最上段のカートリッジ４を係止すると共に該カートリッジ４を後述するチャンバ３４に移送する構造について説明する。図２（ａ）、（ｂ）に示すように、上記のようにマガジン５の弾倉７の上端開口の後部両側に該弾倉７の最上段に位置するカートリッジ４の後部を係止するマガジンリップ２４、２４が設けられている。また、マガジン本体６の前側壁８ａの上端に切欠部２５が形成されている。この切欠部２５は弾倉７の最上段のカートリッジ４を直進方向に移動可能とする深さを有する。
【００３０】
さらに、図１４(ａ)〜（ｃ）に示すように、弾倉７の最上段のカートリッジ４が直進方向に移動し、該カートリッジ４の前端がマガジン５の前方位置に設けられたフィーディングランプ４８の案内傾斜面４８ａに当接した位置で該カートリッジ４に対する係止作用が解除されるようにマガジンリップ２４の長さが形成されている。
【００３１】
このような構成により、図１４(ａ)に示す弾倉７の最上段のカートリッジ４がマガジンリップ２４、２４（図２(ｂ)参照）によって係止され、シリンダ３３の前進により弾倉７の最上段のカートリッジ４が前方直進方向へ押し出される。次いで、図１４（ｂ）に示すように、カートリッジ４の前端がフィーディングランプ４８の案内傾斜面４８ａに当接した位置で、該カートリッジ４はマガジンリップ２４、２４による係止作用から解除される。このとき、弾倉７に収納されたカートリッジ４は下方からフォロア２３に支持され、フォロアスプリング２４によって上方へ付勢されているため、図１４（ｃ）に示すように、最上段のカートリッジ４は一挙に上方へ押上げられ、チャンバ３４の天井面に略平行にぶつかってチャンバ３４内に安定した姿勢で装填される。
【００３２】
さらに、図２(ａ)に示すように、ガス蓄圧室９の上方には境壁１４で隔てられたガス放出路１２が設けられ、このガス放出路１２の後方には後方境壁８ｃによって隔てられたリンク室１３が設けられている。このような構成において、境壁１４に形成されたガス放出孔１５を開閉する放出バルブ１６の上端部はリンク室１３に回動自在に軸支されたバルブリンク１７に係止されている。また、放出バルブ１６の下端はバルブスプリング１９を介して棒状のバルブベース２０に支持されているため、放出バルブ１６は常時上方に付勢され、通常はガス放出孔１５を閉ざしている。銃本体１に設けられた後述するバルブハンマ１８の作動によってバルブリンク１７が回動すると、放出バルブ１６を下方に作動してガス放出孔１５が開放される。
【００３３】
なお、ガス放出路１２の上端部にはノズルラバー２１が設けられ、後述するように、マガジン５をマガジン室３に装着した際、ノズルラバー２１が本体側に密着してガス放出路１２の気密性を保つことが可能となる。
【００３４】
次に、銃本体１の構成について説明する。図１において、銃本体１のグリップ２内にマガジン５を着脱自在に装着するマガジン室３が下方を開放した構成とされ、このマガジン室３にマガジン５を押し入れて装着することができる。マガジン室３の途中に設けられたマガジンキャッチ３０ａはマガジンケース８の側部に設けられたキャッチ受け３０ｂに係止されることにより、マガジン室３に差し込んだマガジン５を定位置で固定するストッパとして機能する。また、マガジンキャッチ３０ａを押し込むことによってそのストッパ機能を解除し、マガジン５をマガジン室３から抜き取ることができる。
【００３５】
図１に示すように、銃本体１の上方の銃身３１には細筒状のインナーバレル３２が固定され、このインナーバレル３２とその後方に設けられたシリンダ３３との間にはチャンバ３４が設けられている。このチャンバ３４は、インナーバレル３２の後端に設けられた薬莢保持凹部３５の後部に形成された空間によって構成される。従って、マガジン５の弾倉７から送られてきたカートリッジ４は、上記のようにフィーディングランプ４８の案内傾斜面４８ａに案内されることによってチャンバ３４、即ちインナーバレル３２の後端の薬莢保持凹部３５に装填される。また、カートリッジ４の後端はシリンダ３３の前端の包底面３６によって保持される（図６参照）。
【００３６】
上記のように、チャンバ３４に装填されたカートリッジ４は、その後端に形成されているリム２７がシリンダ３３に係止されたエキストラクタ４９の爪部４９ａによって噛み込まれることにより、チャンバ３４の定位置に保持される（図１２参照）。
【００３７】
ここで、本実施例におけるエキストラクタ４９について述べる。図１２（ａ）、（ｂ）に示すように、チャンバ３４（図１３、図１４等を参照）に装填されたカートリッジ４の後端に形成されているリム２７を係止するエキストラクタ４９がシリンダ３３の側部に枢支軸４９ｃで回動自在に枢設されている。また、エキストラクタ４９とシリンダ３３との間に設けられたバネ４９ｂの付勢力によってエキストラクタ４９の先端に形成された爪部４９ａをカートリッジ４のリム２７に噛み込ませることが可能となる。
【００３８】
このエキストラクタ４９の爪部４９ａは、図１２（ａ）に示すように、従来の断面四角形の爪部４９ｄとは異なり、テーパ状に傾斜した形状を有し、カートリッジ４の前端からチャンバ３４までの距離が短い場合でも、カートリッジ４をチャンバ３４に装填可能とすることができる。
【００３９】
また、カートリッジ４をチャンバ３４内に保持した状態でスライド３３が後退すると共に、ガス蓄圧室９からの圧縮ガスの供給が停止することに伴い、シリンダ３３が後退するに従ってエジェクタ４に接触したカートリッジ４がチャンバ３４から排出される。
【００４０】
このような構成によって、スライド４３に対して可動し得るシリンダ３３にエキストラクタ４９が係止されたことにより、カートリッジ４はシリンダ３３に係止されたエキストラクタ４９に噛み込まれた状態でチャンバ３４に保持されるため、ブローバック動作におけるスライド４３の後退が可能となる。
【００４１】
また、チャンバ３４の下部にはエジェクタ５４が銃本体に固定され、チャンバ３４に装填されたカートリッジ４が後退する際に、該カートリッジ４がエジェクタ５４に接触する。これによって、カートリッジ４のリム２７に対するエキストラクタ４９の爪部４９ａの噛み込みから解除されると共に、下方からのフォロアスプリング２２の付勢力によってカートリッジ４が跳ね上げられることにより、該カートリッジ４が排出される。
【００４２】
さらに、図１に示すように、シリンダ３３内の前部には、チャンバ３４に通じる貫通状のシリンダ通路３７が形成されている。このシリンダ通路３７の後端にはシリンダ通路３７を開閉するノズルスポイラ３８がノズルスプリング３９を介して設けられている。ノズルスポイラ３８はノズルスプリング３９の弾性力によってシリンダ通路３７を開放する方向へ付勢している。
【００４３】
また、スライド４３の後端内部にはシリンダ３３内を移動するピストン４１が固定されている。このピストン４１とノズルスポイラ３８とはリターンスプリング４０で連結されている。ただし通常は、ノズルスプリング３９の弾性力によってノズルスポイラ３８はシリンダ通路３７を開放した状態としてあり、後述するようにガス蓄圧室９から送られてきた圧縮ガスの圧力によってノズルスポイラ３８が前方へ押圧されたときにシリンダ通路３７が閉塞される。
【００４４】
上記のようにノズルスポイラ３８がシリンダ通路３７を閉塞すると、シリンダ３３の内部が密閉される。このシリンダ３３の内部が完全に密閉された状態になると、シリンダ３３内の圧縮ガスがガス放出路１２に逆流するため、従来はシリンダ３３の後端とピストン４１の前端外周に設けられたゴムパッキン４１ａとの間に０．５ｍｍ程度の隙間を設けることによって、該隙間からシリンダ３３内に充満した圧縮ガスを放出するようにしていた。しかしながら、この程度の隙間ではスライド４３のブローバック動作を迅速に行うことができないため、図１３に示すように、本実施例ではシリンダ３３の後端とピストン４１の前端外周のゴムパッキン４１ａとの間に少なくとも１ｍｍの隙間Ｇを設けることによって、この隙間Ｇから一挙にシリンダ３３内の圧縮ガスを放出するようにしている。
【００４５】
一方、インナーバレル３２の外周にはアウターバレル４２が設けられている。アウターバレル４２の外周にはスライド４３が前後動可能に設けられ、スライド４３の後退に伴ってスライド４３を前方へ弾性的に付勢するレコイルスプリング５２が銃身３１の下方に設けられたレコイルガイド５１の周部に設けられている。スライド４３の後方内部の定位置には上記のピストン４１が固定されている。従って、ピストン４１はスライド４３の前後動と共に移動するが、シリンダ３３はスライド４３の内部において前後動可能とされている。
【００４６】
また、図１に示すように、銃本体１のフレーム５３にはトリガ４４が軸支され、トリガ４４はトリガバー４５を介して銃本体１の後部に設けられたシアー４６に連繋されている。シアー４６はその下端に設けられたシアー軸４６ｂによって回動自在に設けられ、シアー軸４６ｂの周りに設けられた不図示のシアースプリングによって図示の反時計方向へ付勢されている。シアー４６の上部に形成された爪部４６ａはハンマ４７のシアー係止部４７ａに係脱する構成とされている。ハンマ４７はハンマ軸４７ｂに設けられた不図示のハンマスプリングによって図示の反時計方向に回動するように付勢されている。
【００４７】
バルブハンマ１８はハンマ軸４７ｂに対してスライド可能に嵌合され、バルブハンマ１８をシアー４６側に引く不図示のバネ部材により、バルブハンマ１８の先端側がマガジン室３の下方に付勢されている。このバルブハンマ１８が、図４に示すようにマガジン室３に装着されたマガジン５のバルブリンク１７の上辺を係止し、ハンマ４７の作動によってバルブハンマ１８が前後動することにより、バルブリンク１７を回動し、また規制することができる。
【００４８】
また、バルブロック５０はバルブロックスプリング５０ａによって常時上方へ付勢されている。このバルブロック５０の上端はスライド４３の底部に係合され、スライド４３の後退動作に伴ってバルブロック５０が押し下げられると、このバルブロック５０が下方に移動することによってバルブハンマ１８がロックされた状態となる。これによって、バルブリンク１７を押し下げた状態、即ち放出バルブ１６を押し下げてガス放出孔１５を開放した状態を維持する。また、スライド４３が前方へ移動することによってバルブロック５０が上方へ移動すると、バルブハンマ１８がロック状態から解除され、放出バルブ１６はバルブスプリング１９のバネ力によって上方へ移動し、ガス放出孔１５を閉ざす。
【００４９】
次に、上記の構成を有するエアーガンの作動について説明する。図１に示すグリップ２のマガジン室３内にマガジン５を下方から押し込むことにより、図３に示すマガジンの装着状態とする。このとき、マガジン５のノズルラバー２１が銃本体１のノズル受けに嵌着することによって、ガス放出路１２の気密性が保たれた状態でガス放出路１２とシリンダ３３内とが連通状態となる。
【００５０】
次いで、図４に示すように、スライド４３をレコイルスプリング５２の弾性力に抗して後方へ引くと、スライド４３の後端がハンマ４７に当ることによってハンマ４７が倒される。このとき、ハンマ４７のシアー係止部４７ａがシアー４６の爪部４６ａに係止される結果、ハンマ４７が倒れた状態を維持する。
【００５１】
次いで、図５に示すように、スライド４３を後方へ引いた状態から手離すと、圧縮されているレコイルスプリング５２の弾性力によってスライド４３が前方へ復帰する。また、スライド４３が完全に復帰するまでの間に、上記の図１４(ａ)〜（ｃ）で説明したように、弾倉７内の最上段のカートリッジ４はチャンバ３４へと移動し、図６に示すようにチャンバ３４に装填された状態となる。このとき、カートリッジ４の前端外周がインナーバレル３２の後端の薬莢保持凹部３５に係止されると共に、カートリッジ４の後端がシリンダ３３の前端の包底面３６に係合されることによって、カートリッジ４はチャンバ３４内に保持された状態となる。
【００５２】
次いで、図７に示すようにトリガ４４を最後部まで引き切ると、トリガバー４５（図１参照）の作動によってシアー４６が回動し、図６においてシアー４６の爪部４６ａに係止されていたハンマ４７のシアー係止部４７ａが外され、不図示のハンマスプリングの弾性力によってハンマ４７が図示の反時計方向へ回転する。また、ハンマ４７が回転し、バルブハンマ１８が前方に移動することによってバルブリンク１７が回転する。これによって、放出バルブ１６が下方へ押され、ガス放出孔１５が開放状態になると、ガス蓄圧室９の圧縮ガスがガス放出孔１５からガス放出路１２を通過し、開放状態にあるシリンダ通路３７を通過してチャンバ３４の後方に到る。さらに、圧縮ガスはカートリッジ４内の貫通孔２６内を通過して弾丸Ｂを後方から圧迫することにより、弾丸Ｂを前方へ発射する。
【００５３】
次いで、図８に示すように、弾丸Ｂが発射された後、ガス放出孔１５が開放状態を維持しているため、ガス蓄圧室９からの圧縮ガスがガス放出路１２内に放出され続け、ノズルスポイラ３８が前方に押圧されることによってシリンダ通路３７が閉塞される。その結果、シリンダ３３内に圧縮ガスが充満し、ピストン４１を後退へ圧迫する。
【００５４】
これによってスライド４３が後退し始めると、再びスライド４３の後端がハンマ４７を後方へ押して、ハンマ４７を倒し、ハンマ４７のシアー係止部４７ａがシアー４６の爪部４６ａを係止し、ハンマ４７が倒れた状態を維持する。
【００５５】
また、図９に示すように、スライド４３の後退によって、バルブロック５０が下方へ移動するとバルブハンマ１８が後退する。これによって、バルブリンク１７が解除されて回動自在になると、放出バルブ１６がバルブスプリング１９の弾性力によって上方へ移動し、ガス放出孔１５が閉塞されることにより、ガス蓄圧室９からの圧縮ガスの放出が停止する。
【００５６】
このとき、図９に示すように、シリンダ３３内に充満していた圧縮ガスが、シリンダ３３の後端とピストン４１の前端外周のゴムパッキン４１ａとの間に設けられた少なくとも１ｍｍの隙間Ｇから一挙に放出することによって、図１０に示すように、シリンダ３３内のガス圧を失い、ノズルスポイラ３８がリタ−ンスプリング４０によって後方へ引かれ、シリンダ３３の通路３７を開放すると共に、シリンダ３３を後方へ移動する。これによってシリンダ３３の後退時期を速めることにより、スライド４３の後退動作（ブローバック動作）を迅速に行うことが可能となる。
【００５７】
さらに、上記のスライド４３の後退によって、チャンバ内のカートリッジがエジェクタに接触してエジェクタ５４の跳ね上げ作用を受ける。これによって、カートリッジ４のリム２７（図１２参照）がエキストラクタ４９の係止から解除されると共に、弾倉７内の最上段のカートリッジ４がフォロアスプリング２２の弾性力によって上方へ押し出される結果、チャンバ３４内の空のカートリッジ４が外部へ排出されることとなる。
【００５８】
その後は、図５に示す動作と同様に作動する。即ち、スライド４３が前方に復帰すると同時に、弾倉７内の最上段のカートリッジ４がシリンダの後退によってチャンバ３４の方向に押されて、チャンバ３４に装填された状態となる。これによって、次の発射体勢が整った状態になり、それ以降は、スライド４３を手動で後退させなくても、連続した弾丸の発射及び薬莢の排出が可能となる。
【産業上の利用可能性】
【００５９】
本発明のエアーガンは、圧縮ガスを使用してカートリッジ内のＢＢ弾又は樹脂製弾丸を発射するようにした薬莢式エアーガンにおいて、ブローバックを行い、カートリッジを自動的に排出させることを可能とするエキストラクタの係止構造を備えた薬莢式エアーガンとして利用可能である。また、本発明は、ブローバック動作をより速く行うことを可能とした薬莢式エアーガンとして利用可能である。さらに、本発明は、マガジンの弾倉からチャンバにカートリッジを装填させる動作を円滑且つ確実に行うようにした薬莢式エアーガンとして利用可能である。
【符号の説明】
【００６０】
Ｂ  弾丸
Ｇ  隙間
１  銃本体
２  グリップ
３  マガジン室
４  カートリッジ
４ａ  カートリッジ本体
５  マガジン
６  マガジン本体
７  弾倉
８  マガジンケース
８ａ  前側壁
８ｂ  中央境壁
８ｃ  後方境壁
９  ガス蓄圧室
１０  マガジンベース
１１  ガス注入口
１２  ガス放出路
１３  リンク室
１４  境壁
１５  ガス放出孔
１６  放出バルブ
１７  バルブリンク
１８  バルブハンマ
１９  バルブスプリング
２０  バルブベース
２１  ノズルラバー
２２  フォロアスプリング
２３  フォロア
２４  マガジンリップ
２５  切欠部
２６  貫通孔
２７  リム
２８  環状リング
２９  環状凹部
３０ａ  マガジンキャッチ
３０ｂ  キャッチ受け
３１  銃身
３２  インナーバレル
３３  シリンダ
３４  チャンバ
３５  薬莢保持凹部
３６  包底面
３７  シリンダ通路
３８  ノズルスポイラ
３９  ノズルスプリング
４０  リターンスプリング
４１  ピストン
４１ａ  ゴムパッキン
４２  アウターバレル
４３  スライド
４４  トリガ
４５  トリガバー
４６  シアー
４６ａ  爪部
４６ｂ  シアー軸
４７  ハンマ
４７ａ  シアー係止部
４７ｂ  ハンマ軸
４８  フィーディングランプ
４８  案内傾斜面
４９  エキストラクタ
４９ａ  爪部
４９ｂ  バネ
４９ｄ  従来の断面四角形の爪部
５０  バルブロック
５０ａ  バルブロックスプリング
５１  レコイルガイド
５２  レコイルスプリング
５３  フレーム
５４  エジェクタ
【図１】
2011085300.tif 000003
【図２】
2011085300.tif 000004
【図３】
2011085300.tif 000005
【図４】
2011085300.tif 000006
【図５】
2011085300.tif 000007
【図６】
2011085300.tif 000008
【図７】
2011085300.tif 000009
【図８】
2011085300.tif 000010
【図９】
2011085300.tif 000011
【図１０】
2011085300.tif 000012
【図１１】
2011085300.tif 000013
【図１２】
2011085300.tif 000014
【図１３】
2011085300.tif 000015
【図１４】
2011085300.tif 000016